(57)【特許請求の範囲】
【請求項１】
浴室の天井部に設置された浴室暖房乾燥機を操作するためのリモートコントローラと、リモートコントローラを収納するフォルダとを備え、浴室に設置されるリモートコントロール装置であって、
前記リモートコントローラと前記フォルダは、連結部材によって結合されており、前記フォルダは、前記リモートコントローラを保持するコントローラ保持部と前記連結部材を収納する収納部とを備えていることを特徴とするリモートコントロール装置。
【発明の詳細な説明】
【０００１】
【発明の属する技術分野】
本発明はリモートコントロール装置に関し、特に、浴室内を暖房し、また浴室内に吊り下げられた洗濯物等を乾燥させるための天井取付型の浴室暖房乾燥機に用いられるリモートコントロール装置に関する。
【０００２】
【従来の技術】
温風を吹き出すことによって浴室内を暖房したり、浴室内に吊り下げられた洗濯物等を乾燥させるための浴室暖房乾燥機で、浴室の天井部に設置されたものが従来より用いられている。
【０００３】
天井取付型の浴室暖房乾燥機は、浴室内の高い位置に設置されているため、操作するにはリモートコントローラを必要とするが、このようなリモートコントローラは、従来、湿気が届かないように浴室に隣接した脱衣室等に設置されており、リモートコントロール装置と浴室暖房乾燥機とをコードでつないでいた。
【０００４】
【発明が解決しようとする課題】
そのため、入浴中に、浴室暖房乾燥機から吹き出す温風の風速や温度を変えるには、その都度浴室から出て、脱衣室のリモートコントローラを操作しなければならず、不便で煩わしかった。
【０００５】
また、無線通信方式のリモートコントローラでは、脱衣室から浴室暖房乾燥機まで信号が届かない恐れがあるので、リモートコントローラと浴室暖房乾燥機とをコードでつないでおり、その配線作業が面倒であった。
【０００６】
本発明は、上記の従来例の問題点に鑑みてなされたものであり、その目的とするところは、浴室から直接浴室暖房乾燥機を使用できるようにすることによって使い勝手を良好にすると共に、リモートコントロール装置を浴室に設置するのに適した構造にすることにある。
【０００７】
【課題を解決するための手段】
請求項１に記載のリモートコントロール装置は、浴室の天井部に設置された浴室暖房乾燥機を操作するためのリモートコントローラと、リモートコントローラを収納するフォルダとを備え、浴室に設置されるリモートコントロール装置であって、前記リモートコントローラと前記フォルダは、連結部材によって結合されており、前記フォルダは、前記リモートコントローラを保持するコントローラ保持部と前記連結部材を収納する収納部とを備えたものである。
【０００８】
【作用】
リモートコントロール装置を浴室内に設置した場合には、リモートコントローラを落として洗い場等に衝突させたり、湯の中に漬けたりするとリモートコントローラが破損するおそれがある。しかし、本発明のリモートコントロール装置では、リモートコントローラとフォルダとを連結部材（例えば、鎖やひもなど）によってつないでいるので、リモートコントローラを落としても洗い場の床や浴槽内の湯までリモートコントローラが届かないような長さに連結部材の長さを調整しておくことにより、リモートコントローラを落としても洗い場の床にぶつけたり、湯の中に漬けたりするのを防止でき、リモートコントローラの破損を防止することができる。
【０００９】
さらに、本発明のリモートコントロール装置にあっては、フォルダが連結部材を収納する収納部を備えているので、リモートコントローラをフォルダに収納した場合には、連結部材をフォルダの収納部に収納して隠すことができ、リモートコントロール装置の外観を良好にできる。また、連結部材に手などを引っ掛けにくくなる。
【００１５】
【発明の実施の形態】
（第１の実施形態）
図１は浴室暖房乾燥機４を天井に設置された浴室１の様子を示す断面図である。浴室暖房乾燥機４は、下面から温風を吹き出して浴室１内を暖房する機能（入浴時または入浴前の浴室暖房）、図１に示すように、下面から温風を吹き出して浴室１内に吊された衣類ａを強制乾燥させる機能（浴室の乾燥室化）、図１に破線で示すように、下面から吸引した浴室１内の湿気を排気ダクト５から屋外へ排出する機能（浴室換気）を備えている。この浴室暖房乾燥機４は、リモートコントロール装置６によって各種機能のオン、オフや設定温度などを操作できるようになっており、リモートコントロール装置６は浴室１の壁面に取り付けられている。図１では、浴槽２の近くの壁面にリモートコントロール装置６を取り付けているが、洗い場３の壁面や出入り口の近傍など、使い勝手のよい位置であればよい。
【００１６】
リモートコントロール装置６は、図２に示すように、リモートコントローラ７とフォルダ８とからなり、フォルダ８は浴室１の壁面にネジ等で固定されており、リモートコントローラ７は簡易防水型となっていて鎖９によってフォルダ８とつながれている。リモートコントローラ７は、図２に示すように、前面に各種押ボタンスイッチ１０と液晶表示部１１を備えており、上面には浴室暖房乾燥装置の赤外線受信機に向けて赤外線信号を送信するための発光部１２を有している。フォルダ８は、図３及び図４に示すように、略平板状をした背板１３と、背板１３の両側面及び下面に沿って設けられて略Ｕ字状に湾曲した抱持部１４とからなり、背板１３にはねじ止め用の通孔１７ａ、１７ｂがあけられ、抱持部１４の上端内面には内側に向けて係止爪１５が突出している。リモートコントローラ７は、両側面に縦長の凹部１６を備えており、フォルダ８内に納められると抱持部１４に下面及び両側面を抱えられるように支持され、係止爪１５が凹部１６に弾性的に嵌合することによって脱落しないよう支持される。
【００１７】
鎖９の一端は、図５（ａ）（ｂ）に示すように止めプレート１８に挿通され、止めプレート１８を背板１３の背面に設けられた溝１９に挿入することによって背板１３の背面に固定されている。また、鎖９の他端は、リモートコントローラ７の下面に設けられた接続用穴２０に挿入することによって固定されている。鎖９の長さは、リモートコントローラ７をフォルダ８から外して操作し易くするためには、長い方が好ましいが、あまり長くすると洗い場３の床に落ちたり、浴槽２の湯に浸かったりする恐れがある。そこで、リモートコントロール装置６の設置場所に応じてリモートコントローラ７が床面や浴槽２内に届かない長さとなるように鎖９の長さを調整できるようにしてある。鎖９の長さを調整するには、止めプレート１８を背板１３から抜き出し、鎖９の長さ（すなわち、止めプレート１８の位置）を調整した後、再び止めプレート１８を背板１３の溝１９に挿入すればよい。
【００１８】
このように鎖９の長さを調整することにより、リモートコントローラ７がフォルダ８から脱落しても洗い場３の床に衝突したり、浴槽２の湯に浸かったりすることがないので、リモートコントローラ７の破損を防止することができる。
【００１９】
このようにリモートコントロール装置６を浴室１に設置してあれば、入浴中に浴室１内の暖房温度を変更する場合、浴室１から出ることなく温度調整することができ、また衣類ａを乾燥している場合には、衣類ａの乾燥度合いを確認しながら温風温度や吹き出し方向を調整することができ、浴室暖房乾燥機４の使い勝手が良好となる。なお、リモートコントローラ７は、浴室１の湿気が浸入しないよう防水構造にする必要があるが、コストの高くつく完全防水である必要はなく、パッキン等によって隙間を塞いだ簡易防水型（防湿構造）のものでよい。リモートコントローラ７は、鎖９でフォルダ８につながれていて、浴槽２内や洗い場３に落ちないようになっているから、完全防水にする必要がなく、コストの安価な簡易防水とすることができる。
【００２０】
（第２の実施形態）
図６は本発明の別な実施形態によるリモートコントロール装置６の正面図、図７はフォルダ８を断面して示すリモートコントロール装置６の側面図である。このリモートコントローラ７も、正面に各種押ボタンスイッチ１０と液晶表示部１１を備え、上面に発光部１２が設けられている。
【００２１】
また、図８に示すようにフォルダ８は、通孔１７ａ、１７ｂに通したビスによって浴室１の壁に固定されるようになっており、フォルダ８の正面には断面Ｌ型をした４つの係止片２１が設けられ、下部には鎖９を収納するための収納部２２が設けられている。収納部２２は上面及び背面が開口したポケット状に形成されているが、背面の開口はフォルダ８を浴室壁面に取り付けることによって塞がれる。一方、リモートコントローラ７の背面には、図８に示すように、係止片２１と係合させるための係止翼２３が設けられており、係止翼２３の下方には、フォルダ８の係止片２１を挿入することができるよう、凸部２４間に空所２５が形成されている。なお、２６はリモートコントローラ７の裏面に設けられた足（突起）である。
【００２２】
しかして、この実施形態では、浴室壁面に取り付けられているフォルダ８の係止片２１を、フォルダ８の空所２５に挿入させるようにしてリモートコントローラ７をフォルダ８の前面に当て、ついでリモートコントローラ７を下方へずらせて収納部２２の上に載せて支持させると、図９に示すように係止翼２３と係止片２１とが噛み合ってリモートコントローラ７がフォルダ８に固定される。また、フォルダ８に取り付けられているリモートコントローラ７をつかんで上方へスライドさせ、下の係止片２１がリモートコントローラ７の凸部２４に当たったところでリモートコントローラ７を前に引き出せば、リモートコントローラ７がフォルダ８から外れる。
【００２３】
また、このリモートコントロール装置６でも、リモートコントローラ７の下面に鎖９の一端が取り付けられており、鎖９は収納部２２の背面開口を通ってフォルダ８の裏面に他端を止められている。そして、リモートコントロール装置６の設置個所に応じてリモートコントローラ７が脱落しても浴槽２の湯に浸かったり、洗い場３の床に衝突したりしないよう鎖９の長さが調整されている。
【００２４】
リモートコントローラ７をフォルダ８に保存させているときには、図７に示すように、鎖９は収納部２２内に収納できるようになっているので、リモートコントローラ７とフォルダ８を鎖９でつないでいても、図６のように普段は鎖９が見えず、リモートコントロール装置６の外観が悪くなることがない。
【００２５】
リモートコントローラ７のケースは、前面ケース２７と裏面ケース２８とを合わせて構成されており、前面ケース２７と裏面ケース２８との間に防水パッキン２９を挟み込んで簡易防水構造としている。また、前面ケース２７と裏面ケース２８の周縁部を超音波溶着し、貼り合わせによる簡易防水構造としてもよい。図１０は前面ケース２７の裏面を示す図であって、周囲に防水パッキン２９（ハッチングを施した部分）が配設されている。また、リモートコントローラ７のケース内の左右の下部には、それぞれ電池を入れるための電池収納室３０が設けられている。図１１に示すように、電池蓋３２もしくは電池収納室３０の開口部にＯリングのようなパッキン３１が設けられており、電池収納室３０の開口に電池蓋３２を取り付けてパッキン３１を押し潰すことにより、電池収納室３０も防水構造にすることができる。
【００２６】
電池収納室３０の奥には、乾電池３３の−極に接触させるための、コイルバネや板バネからなる電極バネ３４が設けられており、電池収納室３０の開口部には、乾電池３３の＋極に接続させるための固定電極３５が設けられている。また、電池収納室３０を閉じる電池蓋３２の内面には、電池収納室３０に入れた乾電池３３の＋極及び固定電極３５に接触して固定電極３５と乾電池３３の＋極を接続する接続用電極３６が設けられている。この電池蓋３２は、電池収納室３０の開口部の雌ねじ部３７にねじ込むようになっており、電池蓋３２を電池収納室３０の開口にはめると乾電池３３の＋極と電池蓋３２の接続用電極３６とが接触し、さらに電池蓋３２を締め付けて十分な防水性が得られるまでパッキン３１が押し潰されると、電池蓋３２の接続用電極３６と固定電極３５が接触し、乾電池３３が通電状態となる。
【００２７】
このように、パッキン３１が押し潰されて十分な防水性が得られるまでは、電池蓋３２の接続用電極３６と固定電極３５とが接触しないよう、固定電極３５の位置とパッキン３１の厚みを調整しているので、電池交換時に電池蓋３２が確実に閉じられていないとリモートコントローラ７を使用できず、あるいは、リモートコントローラ７が使用可能になることで電池蓋３２が閉じられていることを確認することができる。よって、電池交換時における防水不良を防止することができる。
【００２８】
なお、図１０では２本の電池を左右の電池収納室３０に入れるようにしたが、１箇所の電池収納室３０内に２本の電池を直列にして入れるようにしてもよい。
【００３０】
【発明の効果】
リモートコントロール装置を浴室内に設置した場合には、リモートコントローラを落として洗い場等に衝突させたり、湯の中に漬けたりするとリモートコントローラが破損するおそれがあるが、本発明のようにリモートコントローラとフォルダとを連結部材によってつなぎ、リモートコントローラを落としても洗い場の床や浴槽内の湯までリモートコントローラが届かないような長さに連結部材の長さを調整しておけば、リモートコントローラを落としても洗い場の床にぶつけたり、湯の中に漬けたりするのを防止でき、リモートコントローラの破損を防止できる。
【００３１】
さらに、連結部材を収納する収納部をフォルダに設けておけば、リモートコントローラをフォルダに収納したとき、連結部材をフォルダの収納部に収納して隠すことができ、リモートコントロール装置の外観を良好にできる。また、連結部材に手などを引っ掛けにくくなる。
【図面の簡単な説明】
【図１】浴室暖房乾燥機を天井に設置された浴室の様子を示す概略断面図である。
【図２】（ａ）（ｂ）は、本発明の一実施形態によるリモートコントロール装置を示す正面図及び上面図である。
【図３】同上のリモートコントロール装置を構成するフォルダの正面図である。
【図４】同上のリモートコントロール装置の側面図である。
【図５】（ａ）（ｂ）は同上のリモートコントロール装置の背面図及び下面図である。
【図６】本発明の別な実施形態によるリモートコントロール装置の正面図である。
【図７】同上のリモートコントロール装置の一部破断した側面図である。
【図８】同上のリモートコントロール装置を構成するリモートコントローラをフォルダから外した状態で示す斜視図である。
【図９】同上のリモートコントロール装置において、係止片と係止翼の係合によってフォルダにリモートコントローラを保持させている状態を示す断面図（リモートコントローラの内部構造は省略している。）である。
【図１０】同上のリモートコントローラの前面カバーの裏面図である。
【図１１】電池収納室の開口部付近と電池蓋を拡大して示す図である。
【符号の説明】
１      浴室
４      浴室暖房乾燥機
６      リモートコントロール装置
７      リモートコントローラ
８      フォルダ
９      鎖
１５      係止爪
１６      凹部
２１      係止片
２３      係止翼
２５      空所
２９      防水パッキン
３０      電池収納室
３１      パッキン
３２      電池蓋
３３      乾電池
３５      固定電極
３６      接続用電極
【図１】
0003674460.tif 000002
【図２】
0003674460.tif 000003
【図３】
0003674460.tif 000004
【図４】
0003674460.tif 000005
【図５】
0003674460.tif 000006
【図６】
0003674460.tif 000007
【図７】
0003674460.tif 000008
【図８】
0003674460.tif 000009
【図９】
0003674460.tif 000010
【図１０】
0003674460.tif 000011
【図１１】
0003674460.tif 000012